(57)【要約】【課題】製氷室およびセレクト室間の連通を防止すること。【解決手段】Ｖ仕切壁１９は野菜室の底板に相当するものであり、Ｖ仕切壁１９の下方にはＩ＆Ｓ仕切壁が配設されている。このＩ＆Ｓ仕切壁は縦仕切組立５９と横仕切組立とを有する逆Ｔ字状をなすものであり、野菜室の下方に製氷室およびセレクト室を左右方向に並べて形成している。この場合、縦仕切組立５９の前端部がＶ仕切壁１９に係合している。このため、縦仕切組立５９が製氷室の扉およびセレクト室の扉の荷重によってＶ仕切壁１９に対して傾斜することが防止される。【選択図】図１
2006038454.tif 000002
【特許請求の範囲】
【請求項１】
前面が開口するものであって、外箱および内箱を有する冷蔵庫本体と、
前記冷蔵庫本体内に設けられた第１の仕切部材と、
前記冷蔵庫本体内に設けられ、前記第１の仕切部材の下方に第１の貯蔵室および第２の貯蔵室を左右方向に並べて形成する第２の仕切部材とを備え、
前記第２の仕切部材は、前記内箱に一体成形されることなく前記冷蔵庫本体内に固定された縦板部および横板部を有し、
前記縦板部の前端部は、前記第１の仕切部材に係合されていることを特徴とする冷蔵庫。
【請求項２】
第１の貯蔵室または第２の貯蔵室の前面開口部を開閉自在に閉塞する扉と、
この扉に設けられた左右一対のスライドレールと、
前記第１の貯蔵室内または前記第２の貯蔵室内に左右一対に設けられ、前記扉が前後方向へ操作されると前記スライドレールをスライドさせる扉レールとを備え、
前記左右の扉レールのうち一方は、第２の仕切部材の縦板部に設けられていることを特徴とする請求項１に記載の冷蔵庫。
【請求項３】
縦板部の前端部は、第１の仕切部材に設けられたボス部に係合されていることを特徴とする請求項１に記載の冷蔵庫。
【請求項４】
第１の仕切部材には、第１の仕切部材の下方へ突出するボスベースが設けられ、
ボス部は、前記ボスベースに一体に成形されていることを特徴とする請求項３に記載の冷蔵庫。
【請求項５】
縦板部の前端部は、ボス部の外面にほぼ接触した状態でボス部に係合されていることを特徴とする請求項３に記載の冷蔵庫。
【請求項６】
第１の仕切部材に設けられ、断熱材が充填された断熱材充填部を備え、
ボス部は、前記断熱材充填部に設けられていることを特徴とする請求項３に記載の冷蔵庫。
【請求項７】
第１の仕切部材の前端部および縦板部の前端部の一方にはボス部が設けられ、
前記ボス部は、前記第１の仕切部材の前端部および前記縦板部の前端部の他方に係合され、
前記第１の仕切部材および前記縦板部間は、前記ボス部内にねじを螺合することに基づいて連結されていることを特徴とする請求項１に記載の冷蔵庫。
【請求項８】
第１の仕切部材は、前面が開口する前枠と前枠の前面開口部を覆う前板とを有し、
前記前板は、前記第１の仕切部材および縦板部間を連結するボス部の上方で前記前枠にねじ止めされていることを特徴とする請求項７に記載の冷蔵庫。
【請求項９】
第１の仕切部材は、前面が開口する前枠と前枠の前面開口部を覆う前板とを有し、
前記前枠内には、防露パイプが収納され、
前記前板は、前記前枠にねじ止めされていることを特徴とする請求項１に記載の冷蔵庫。
【請求項１０】
第１の仕切部材は、前面が開口する前枠と前枠の前面開口部を覆う前板とを有し、
前記前板は、前記第１の仕切部材および縦板部間の係合部分の少なくとも上方で前記前枠に係合していることを特徴とする請求項１に記載の冷蔵庫。
【請求項１１】
第１の貯蔵室および第２の貯蔵室には、一対のスライドレールが前後方向へスライド可能に設けられ、
第２の仕切部材の前端部には、前記各スライドレールを下方から支えるローラが装着され、
前記第１の貯蔵室の両スライドレールおよび前記第２の貯蔵室の両スライドレールには、前端部に位置して第１の扉および第２の扉が設けられていることを特徴とする請求項１に記載の冷蔵庫。
【請求項１２】
第２の仕切部材の横板部には、第１の貯蔵室内に位置して切欠部が設けられ、
前記第１の貯蔵室および第２の貯蔵室の下方には、前記切欠部を介して前記第１の貯蔵室内に通じる第３の貯蔵室が設けられていることを特徴とする請求項１に記載の冷蔵庫。
【請求項１３】
前面が開口する冷蔵庫本体と、
前記冷蔵庫本体内に設けられた第１の仕切部材と、
前記冷蔵庫本体内に設けられ、前記第１の仕切部材の下方に第１の貯蔵室および第２の貯蔵室を左右方向に並べて形成する第２の仕切部材とを備え、
前記第２の仕切部材は、縦板部および横板部を有し、
前記第１の仕切部材の前端部には、断熱材が充填された断熱材充填部が設けられ、
前記縦板部の前端部は、前記第１の仕切部材の前記断熱材充填部に係合されていることを特徴とする冷蔵庫。
【請求項１４】
前面が開口するものであって、外箱および内箱を有する冷蔵庫本体と、
前記冷蔵庫本体内に設けられた第１の仕切部材と、
前記冷蔵庫本体内に設けられ、前記第１の仕切部材の下方に第１の貯蔵室および第２の貯蔵室を左右方向に並べて形成する第２の仕切部材とを備え、
前記第２の仕切部材は、前記内箱に一体に成形されることなく前記冷蔵庫本体内に固定された縦板部および横板部を有し、
前記縦板部の前端部には、ボス部が設けられ、
前記第１の仕切部材には、筒部が設けられ、
前記縦板部の前端部は、前記ボス部を前記筒部内に挿入することで前記第１の仕切部材に係合されていることを特徴とする冷蔵庫。
【請求項１５】
前面が開口するものであって、外箱および内箱を有する冷蔵庫本体と、
前記冷蔵庫本体内に設けられた第１の仕切部材と、
前記冷蔵庫本体内に設けられ、前記第１の仕切部材の下方に第１の貯蔵室および第２の貯蔵室を左右方向に並べて形成する第２の仕切部材とを備え、
前記第２の仕切部材は、前記内箱に一体に成形されることなく前記冷蔵庫本体内に固定された縦板部および横板部を有し、
前記第１の仕切部材には、爪部が設けられ、
前記縦板部の前端部は、前記爪部を前記縦板部の前端部に引掛ることで前記第１の仕切部材に係合されていることを特徴とする冷蔵庫。
【請求項１６】
前面が開口するものであって、外箱および内箱を有する冷蔵庫本体と、
前記冷蔵庫本体内に設けられた第１の仕切部材と、
前記冷蔵庫本体内に設けられ、前記第１の仕切部材の下方に第１の貯蔵室および第２の貯蔵室を左右方向に並べて形成する第２の仕切部材とを備え、
前記第２の仕切部材は、前記内箱に一体に成形されることなく前記冷蔵庫本体内に固定された縦板部および横板部を有し、
前記縦板部の前端部には、爪部が設けられ、
前記縦板部の前端部は、前記爪部を前記第１の仕切部材に引掛けることで前記第１の仕切部材に係合されていることを特徴とする冷蔵庫。
【発明の詳細な説明】
【技術分野】
【０００１】
本発明は、左右方向に貯蔵室が並設された構成の冷蔵庫に関する。
【背景技術】
【０００２】
図１４は上記冷蔵庫の一例を示すものである。ここで、野菜室１の下方には、縦板部２ａおよび横板部２ｂを有する逆Ｔ字状の仕切壁２が配設されている。この仕切壁２は野菜室１の下方に製氷室３およびセレクト室４を形成するものであり、野菜室１の後方にはＲエバポレータが配設され、製氷室３およびセレクト室４の後方にはＦエバポレータが配設されている。
【０００３】
製氷室３およびセレクト室４には扉が装着されている。これら各扉は前後方向へスライド可能にされており、扉を前方へ操作すると、扉が引出され、製氷室３の前面およびセレクト室４の前面が開放される。尚、Ｒエバポレータは野菜室１用の冷気を生成するものである。また、Ｆエバポレータは製氷室３およびセレクト室４用の冷気を生成するものである。
【発明の開示】
【発明が解決しようとする課題】
【０００４】
上記構成の場合、仕切壁２の装着状態でウレタンを発泡させ、仕切壁２をウレタンの発泡圧で庫内に固定しようとすると、ＲエバポレータおよびＦエバポレータの配置スペースが小さくなるので、ウレタンの発泡後に仕切壁２を固定することが考えられている。この場合、扉を前方へ引出すと、扉の荷重で仕切壁２が傾斜する虞れがある。
【課題を解決するための手段】
【０００５】
請求項１・請求項１４・請求項１５・請求項１６に記載した冷蔵庫は下記１）〜４）の特徴点を共通に有するものである。
１）前面が開口するものであって外箱および内箱を備えた冷蔵庫本体を有する点。
２）前記冷蔵庫本体内に設けられた第１の仕切部材を有する点。
３）前記冷蔵庫本体内に設けられ前記第１の仕切部材の下方に第１の貯蔵室および第２の貯蔵室を左右方向に並べて形成する第２の仕切部材を有する点。
４）前記第２の仕切部材が前記内箱に一体成形することなく前記冷蔵庫本体内に固定された縦板部および横板部を有する点。
【０００６】
請求項１に記載した冷蔵庫は、前記縦板部の前端部を前記第１の仕切部材に係合したところに独自の特徴点を有している。請求項１４に記載した冷蔵庫は、前記縦板部の前端部にボス部を設け、前記第１の仕切部材に筒部を設け、前記ボス部を前記筒部内に挿入することで前記縦板部の前端部を前記第１の仕切部材に係合したところに独自の特徴点を有している。請求項１５に記載した冷蔵庫は、前記第１の仕切部材に爪部を設け、前記爪部を前記縦板部の前端部に引掛ることで前記縦板部の前端部を前記第１の仕切部材に係合したところに独自の特徴点を有している。請求項１６に記載した冷蔵庫は、前記縦板部の前端部に爪部を設け、前記爪部を前記第１の仕切部材に引掛けることで前記縦板部の前端部を前記第１の仕切部材に係合したところに独自の特徴点を有している。
【０００７】
請求項１３記載の冷蔵庫は、前面が開口する冷蔵庫本体と、前記冷蔵庫本体内に設けられた第１の仕切部材と、前記冷蔵庫本体内に設けられ前記第１の仕切部材の下方に第１の貯蔵室および第２の貯蔵室を左右方向に並べて形成する第２の仕切部材とを備え、前記第２の仕切部材は縦板部および横板部を有し、前記第１の仕切部材の前端部には断熱材が充填された断熱材充填部が設けられ、前記縦板部の前端部は前記第１の仕切部材の前記断熱材充填部に係合されているところに特徴を有している。
【発明の効果】
【０００８】
請求項１〜請求項１６に記載した各冷蔵庫によれば、扉を前方へ引出したときに扉の荷重で仕切壁が傾斜する課題を解決することができる。
請求項７に記載した冷蔵庫によれば、第１の仕切部材の前端部あるいは縦板部の前端部に相手側に係合するボス部を設け、ボス部内にねじを螺合した。このため、縦板部と第１の仕切部材との連結強度が高まる。
【０００９】
請求項８に記載した冷蔵庫によれば、前板をボス部の上方で前枠にねじ止めした。このため、前枠のうち扉の荷重を受け易い部分が前板にねじ止めされるので、前枠が前板に対して変位し難くなる。
【００１０】
請求項９に記載した冷蔵庫によれば、前枠内に防露パイプを収納した上で前板を前枠にねじ止めしたので、防露パイプがねじの締結力で前板に密着する。このため、防露パイプから前板に熱が効率的に伝達されるので、前板等に結露が生じ難くなる。
【００１１】
請求項１０に記載した冷蔵庫によれば、前板を第１の仕切部材および縦板部間の係合部分の上方で前枠に係合した。このため、前板を手で支えながら前枠にねじ止めする必要がなくなるので、前板の前枠に対する組付作業性が向上する。しかも、前枠のうち扉の荷重を受け易い部分が前板に係合されるので、前枠が前板に対して変位し難くなる。
【００１２】
請求項１１に記載した冷蔵庫によれば、第１の扉の引出し時および第２の扉の引出し時にスライドレールからローラを通して第２の仕切部材に大きな荷重が作用する。しかしながら、第２の仕切部材の縦板部が前端部で第１の仕切部材に係合されているので、扉を前方へ引出したときに扉の荷重で仕切壁が傾斜する課題を解決することができる。
【００１３】
請求項１２に記載した冷蔵庫によれば、第２の仕切部材の横板部に切欠部が設けられているので、横板部の外周部を冷蔵庫本体に組付けるにあたって冷蔵庫本体による横板部の支持量が少なくなり、第２の仕切部材が変位し易くなる。しかしながら、第２の仕切部材の縦板部が第１の仕切部材に係合されているので、扉を前方へ引出したときに扉の荷重で仕切壁が傾斜する課題を解決することができる。
【００１４】
請求項１３に記載した冷蔵庫によれば、扉を前方へ引出したときに扉の荷重で仕切壁が傾斜する課題を解決することができる。しかも、第１の仕切部材の係合部分の剛性が高まり、係合部分が扉等の荷重で変位し難くなる。
【発明を実施するための最良の形態】
【００１５】
以下、本発明の第１実施例を図１ないし図１２に基づいて説明する。まず、図２の（ｂ）において、冷蔵庫本体１１は前面が開口する箱状をなすものであり、鋼板製の外箱１２と合成樹脂製の内箱１３とを組合わせ、外箱１２および内箱１３間に発泡ウレタン製の断熱材１４を現場発泡方式で充填することに基づいて形成されている。
【００１６】
冷蔵庫本体１１内には合成樹脂製のＲ仕切板１５が組付けられており、冷蔵庫本体１１内には、Ｒ仕切板１５の上方に位置して冷蔵室１６が区画形成されている。この冷蔵室１６内の後部には縦長な冷気ダクト１７が配設されており、冷気ダクト１７には、冷蔵室１６内に開口する複数の冷気吹出口（図示せず）が形成されている。また、冷蔵庫本体１１には、図２の（ａ）に示すように、扉１８が装着されている。この扉１８は左辺部を中心に回動可能にされており、冷蔵室１６の前面開口部は扉１８の回動に伴い開閉される。
【００１７】
冷蔵庫本体１１内には、図２の（ｂ）に示すように、Ｒ仕切板１５の下方に位置してＶ仕切壁１９が設けられている。このＶ仕切壁１９は第１の仕切部材に相当するものであり、冷蔵庫本体１１内には、Ｒ仕切板１５とＶ仕切壁１９との間に位置して野菜室２０が形成されている。
【００１８】
内箱１３には、図３に示すように、野菜室２０内の左右両側面に位置して上下方向に対向する一対の扉レール２１が一体形成されており、各組の扉レール２１間には直板状のスライドレール２２が挿入されている。これら各スライドレール２２の後端部には、下端部に位置してリヤローラ２３が装着されており、各リヤローラ２３は下方の扉レール２１に接触している。また、内箱１３には、野菜室２０内の左右両側面に位置してフロントローラ２４が装着されており、各フロントローラ２４はスライドレール２２を下方から支持している。
【００１９】
両スライドレール２２の前端部には扉２５が固定されており、扉２５を前後方向へ操作すると、各リヤローラ２３が扉レール２１に沿って転動する。これと共に、各フロントローラ２４が回転し、各スライドレール２２がスライドする。これにより、扉２５の前方への引出し操作および後方への押込み操作が許容され、野菜室２０の前面開口部が扉２５によって開閉される。
【００２０】
各扉レール２１の前端部には薄肉部２６が形成されている。これら各薄肉部２６は、上下方向に対向する扉レール２１間に幅広な空間部２７を形成するものであり、両リヤローラ２３が空間部２７内に移動すると、各スライドレール２２が扉２５の自重で後端部を中心に下方へ傾斜する。また、上方に位置する各扉レール２１には、前端部に位置して板状のストッパ２８が一体形成されており、各スライドレール２２は、上方のリヤローラ２３がストッパ２８に係止されることに基づいて両扉レール２１間から抜止めされる。
【００２１】
Ｖ仕切壁１９は、図１に示すように、断熱仕切壁２９と断熱仕切壁２９の前端部に組付けられたＶ仕切組立３０とから構成されたものであり、以下、断熱仕切壁２９およびＶ仕切組立３０について詳述する。
【００２２】
＜断熱仕切壁２９について＞
内箱１３にはＶ仕切ケース３１が一体形成されており、Ｖ仕切ケース３１内には断熱材１４が充填されている。このＶ仕切ケース３１は前端部が閉塞され、後端部が外箱１２および内箱１３間の隙間に通じるものであり、Ｖ仕切ケース３１の前端部には薄肉部３２が形成されている。尚、Ｖ仕切ケース３１内の断熱材１４は、外箱１２および内箱１３間に上述の発泡ウレタンを注入する際にＶ仕切ケース３１の後面開口部を通して充填されたものである。
【００２３】
＜Ｖ仕切組立３０について＞
Ｖ仕切カバー３３は前面が開口する断面コ字状をなすものであり、Ｖ仕切カバー３３には、図４の（ａ）および（ｂ）に示すように、円筒状をなす２個のボス部３４が一体形成されている。また、Ｖ仕切カバー３３の左側板および右側板には円柱状の取付軸３５が一体形成されており、各取付軸３５の先端部には、図４の（ｂ）に示すように、傾斜面状の面取部３６が形成されている。尚、Ｖ仕切カバー３３はＶ仕切壁１９の前枠に相当するものであり、合成樹脂を射出成形することに基づいて形成されている。
【００２４】
内箱１３の左側板および右側板には、図５の（ａ）に示すように、前端部に位置して凹部３７が形成されている。これら各凹部３７の内面には円形状の取付孔３８が形成されており、Ｖ仕切カバー３３は、各取付軸３５が取付孔３８内に挿入されることに基づいて内箱１３に固定されている。
【００２５】
Ｖ仕切カバー３３の左側板および右側板には、図５の（ｄ）に示すように、一対のスリット３９が形成されており、Ｖ仕切カバー３３の左側板および右側板には一対のスリット３９によって可撓片４０が形成されている。これら各可撓片４０には、長さ方向の中央部に位置して爪部４１が一体形成され、図４の（ｂ）に示すように、基端部に位置して上述の取付軸３５が形成されており、Ｖ仕切カバー３３を内箱１３内に前方から押込むと、各取付軸３５の先端部が内箱１３の内面によって押圧される。すると、各可撓片４０が内側へ弾性変形し、各取付軸３５が内箱１３の取付孔３８内に挿入される。
【００２６】
Ｖ仕切カバー３３の上端部および下端部には、図５の（ｂ）に示すように、後方へ突出する水平な上板４２および下板４３が一体形成されており、上板４２および下板４３は、図１に示すように、薄肉部３２の上面および下面に係合されている。また、Ｖ仕切カバー３３の左端部および右端部には、図５の（ａ）に示すように、Ｌ字状をなす一対の当て板４４が一体形成されており、各当て板４４は内箱１３のコーナー部に前方からあてがわれている。
【００２７】
Ｖ仕切カバー３３内には発泡スチロール製の絶縁物４５が収納されている。この絶縁物４５には円形状をなす２個の貫通孔４６が形成されており、各貫通孔４６内にはＶ仕切カバー３３のボス部３４が挿入されている。また、絶縁物４５の左端部および右端部には切欠状の係合部４７が形成されている。これら各係合部４７内には、図５の（ｃ）に示すように、可撓片４０の爪部４１が係合されており、絶縁物４５は、両爪部４１によって係止されることに基づいてＶ仕切カバー３３内から抜止めされている。
【００２８】
絶縁物４５は、Ｖ仕切カバー３３を内箱１３に装着する前にＶ仕切カバー３３内に前方から押込まれたものであり、絶縁物４５をＶ仕切カバー３３内に押込むと、爪部４１が絶縁物４５によって押圧される。すると、各可撓片４０が外側へ弾性変形し、各爪部４１が絶縁物４５の係合部４７に係合される。尚、図４の  （ｂ）の符号４８は、爪部４１の下方が成形時にアンダカットになることを防止するための開口部である。
【００２９】
Ｖ仕切カバー３３には、図５の（ａ）に示すように、Ｖ仕切カバー３３の左側板と後板と右側板とを跨ぐ略コ字状のシール材４９が貼付されている。このシール材はソフトテープからなるものであり、Ｖ仕切カバー３３の両開口部４８は、図５の（ｂ）に示すように、下端部がシール材４９によって塞がれている。このシール材４９の左側辺部および右側辺部はＶ仕切カバー３３と凹部３７の内面との間で挟持され、両者の間を水密に塞いでいる。また、シール材４９の後辺部は、図１に示すように、Ｖ仕切カバー３３とＶ仕切ケース３１との間で挟持され、両者の間を水密に塞いでいる。
【００３０】
Ｖ仕切カバー３３には、図４の（ａ）に示すように、上辺部および下辺部に沿って複数の爪部５０が一体形成されており、図４の（ｃ）に示すように、上方の各爪部５０とＶ仕切カバー３３との間，下方の各爪部５０とＶ仕切カバー３３との間には隙間が形成されている。これら隙間内には、図１に示すように、断面略コ字状をなす仕切板５１が嵌合されており、Ｖ仕切カバー３３の前面開口部は仕切板５１によって覆われている。
【００３１】
Ｖ仕切カバー３３の各ボス部３４内には、仕切板５１を通してねじ５２が締込まれており、仕切板５１はねじ５２によってＶ仕切カバー３３に固定されている。また、外箱１２の左右両側部には、図５に示すように、ねじ孔１２ａが形成されている。これら各ねじ孔１２ａ内には仕切板５１を通してねじ５２が締込まれており、仕切板５１の左右両端部は外箱１２に固定されている。尚、仕切板５１はＶ仕切壁１９の前板に相当するものであり、鋼板から形成されている。
【００３２】
冷蔵庫本体１１には、図５の（ａ）に示すように、防露パイプ５３が装着されている。この防露パイプ５３は一端部が外箱１２の内面に沿って上方へ延び、他端部が外箱１２の内面に沿って下方へ延びるものであり、防露パイプ５３のＵ字部分は、図１に示すように、Ｖ仕切カバー３３内に収納され、絶縁物４５と仕切板５１との間で挟持されている。
【００３３】
防露パイプ５３のうちＶ仕切カバー３３内に収納された上辺部および下辺部間にはＶ仕切カバー３３の２個のボス部３４が挿入されている。また、防露パイプの上辺部および下辺部間には、図４の（ｃ）に示すように、左方の可撓片４０が挿入されており、防露パイプ５３の上辺部および下辺部は２個のボス部３４および左方の可撓片４０によって位置規制されている。
【００３４】
Ｖ仕切カバー３３には、図４の（ａ）に示すように、左方のボス部３４の下方に位置して台形板状のボスベース５４が一体形成されており、ボスベース５４の外周部には後方へ突出するフランジ部５５が一体形成されている。前者のボスベース５４には、横長な楕円形状のボス部５６が一体形成されており、ボス部５６の孔５７は、Ｖ仕切カバー３３の別のボス部３４を通る中心線ＣＬ上に配置されている。
【００３５】
冷蔵庫本体１１内には、図６に示すように、Ｖ仕切壁１９の下方に位置して逆Ｔ字状のＩ＆Ｓ仕切壁５８が配設されている。このＩ＆Ｓ仕切壁５８は第２の仕切部材に相当するものであり、図７の（ａ）に示すように、縦板部に相当する垂直な縦仕切組立５９と、横板部に相当する水平な横仕切組立６０と、逆Ｔ字板状の仕切板組立６１とを組合わせることから構成されている。
【００３６】
Ｉ＆Ｓ仕切壁５８には、図１に示すように、縦仕切組立５９の上端部に位置して筒部１３９が設けられており、筒部１３９内にはＶ仕切壁１９のボス部５６が係合されている。このボス部５６内には前方からねじ１４１が締込まれており、Ｉ＆Ｓ仕切壁５８は筒部１３９とボス部５６との係合力，ねじ１４１による締結力によってＶ仕切壁１９に連結されている。また、Ｖ仕切壁１９の仕切板５１は、図６に示すように、ボス部５６（ねじ１４１の締結部分）の上方および右方でＶ仕切カバー３３にねじ５２によって固定され、図１に示すように、ボス部５６の上方を含んだ左右方向の全域で仕切カバー３３の爪部５０に嵌合されている。以下、縦仕切組立５９，横仕切組立６０，仕切板組立６１について詳述する。
【００３７】
＜縦仕切組立５９について＞
図８の縦仕切カバー６２は合成樹脂を射出成形してなるものであり、縦仕切カバー６２の前端部には前枠６３が一体形成されている。この前枠６３は前面が開口する箱状をなすものであり、前枠６３の内面には、高さ方向中央部に位置して円筒状のボス部６４が一体形成されている。また、前枠６３内には発泡スチロール製の絶縁物６５が収納されている。この絶縁物６５には円形状の貫通孔６６が形成されており、前枠６３のボス部６４は貫通孔６６内に挿入されている。
【００３８】
前枠６３の上端部にはスイッチケース６７が一体形成されている。このスイッチケース６７は前面および後面が開口する角筒状をなすものであり、スイッチケース６７内には前方からドアスイッチ６８が収納され、ドアスイッチ６８のリード線６９は、図９の（ａ）に示すように、スイッチケース６７の後方に引出されている。
【００３９】
縦仕切カバー６２には、図８に示すように、フランジ部７０が一体形成されている。このフランジ部７０は、縦仕切カバー６２の上下辺部および後辺部を囲うコ字板状をなすものであり、フランジ部７０の各辺部には略コ字状の嵌合部７１が２個ずつ一体形成されている。
【００４０】
Ｉ仕切カバー７２は合成樹脂を射出成形してなるものであり、Ｉ仕切カバー７２にはフランジ部７３が一体形成されている。このフランジ部７３はＩ仕切カバー７２の上下辺部および後辺部を囲うコ字板状をなすものであり、フランジ部７３の各辺部には爪部７４が２個ずつ一体形成され、各爪部７４は、図９の（ｂ）に示すように、縦仕切カバー６２の嵌合部７１内に嵌合されている。
【００４１】
Ｉ仕切カバー７２のフランジ部７３には、図８に示すように、対角線上に位置して２個の切欠部７５が形成されており、各切欠部７５内には束線７６の端部が押込まれ、束線７６の中央部は縦仕切カバー６２およびＩ仕切カバー７２間に収納されている。この束線７６は複数本のリード線を束ねてなるものであり、束線７６の両端部にはコネクタ７７が電気的に接続されている。
【００４２】
縦仕切カバー６２およびＩ仕切カバー７２間には絶縁物７８が収納されており、絶縁物７８は、図７の（ｇ）に示すように、縦仕切カバー６２のフランジ部７０およびＩ仕切カバー７２のフランジ部７３間で挟持されている。この絶縁物７８は発泡スチロールから形成されたものであり、縦仕切カバー６２およびＩ仕切カバー７２間に収納された束線７６は絶縁物７８によってずれ止め状態に押えられている。
【００４３】
縦仕切カバー６２のフランジ部７０およびＩ仕切カバー７２のフランジ部７３には、図８に示すように、シール材７９が貼付されている。このシール材７９はソフトテープからなるものであり、図７の（ｇ）に示すように、縦仕切カバー６２のフランジ部７０と絶縁物７８との合せ部分，Ｉ仕切カバー７２のフランジ部７３と絶縁物７８との合せ部分を下辺部を除いて水密に覆っている。
【００４４】
＜横仕切組立６０について＞
図１０の（ａ）のＳ底板８０は合成樹脂を射出成形してなるものであり、Ｓ底板８０の略中央部には円筒状のボス部８１が一体形成されている。また、Ｓ底板８０には、図１１に示すように、前面が開口する箱状の前枠８２が一体形成されている。この前枠８２は左右両端部がＳ底板８０から突出する長尺なものであり、前枠８２の内部には円筒状をなす３個のボス部８３が一体形成され、このうち左から２番目に位置するボス部８３はＳ底板８０の左端部に対向している。
【００４５】
Ｓ底板８０には、図１０の（ａ）に示すように、Ｓ底板フランジ部８４が一体形成されている。このＳ底板フランジ部８４はＳ底板８０の左右側辺部および後辺部を囲うコ字板状をなすものであり、Ｓ底板フランジ部８４の後辺部および一方の側辺部には略コ字状をなす複数の嵌合部８５が一体形成され、Ｓ底板フランジ部８４の他方の側辺部および前枠８２には孔状をなす複数の嵌合部８６が形成されている。
【００４６】
Ｆ天井板８７は合成樹脂を射出成形してなるものであり、Ｆ天井板８７の略中央部には円形状の貫通孔８８が形成されている。また、Ｆ天井板８７にはＦ天井板フランジ部８９が一体形成されている。このＦ天井板フランジ部８９はＦ天井板８７の左右側辺部および前後辺部を囲うものであり、Ｆ天井板フランジ部８９の各辺部には複数の爪部９０が一体形成されている。
【００４７】
Ｓ底板フランジ部８４の一方の側辺部に位置する各嵌合部８５は、図１１の  （ａ）に示すように、Ｆ天井板フランジ部８９の一方の側辺部に位置する爪部９０に嵌合され、Ｓ底板フランジ部８４の後辺部に位置する各嵌合部８５はＦ天井板フランジ部８９の後辺部に位置する爪部９０に嵌合されている。また、Ｓ底板フランジ部８４の他方の側辺部に位置する孔状の各嵌合部８６はＦ天井板フランジ部８９の他方の側辺部に位置する爪部９０に嵌合され、前枠８２に位置する孔状の各嵌合部８６はＦ天井板フランジ部８９の前辺部に位置する爪部９０に嵌合されている。
【００４８】
Ｓ底板８０の中央部に位置するボス部８１内には、図１０の（ａ）に示すように、Ｆ天井板８７の貫通孔８８を通してねじ９１が締込まれている。また、Ｓ底板８０およびＦ天井板８７間には発泡スチロール製の絶縁物９２が収納されており、絶縁物９２は、図７の（ｆ）に示すように、Ｓ底板フランジ部８４およびＦ天井板フランジ部８９間で挟持されている。
【００４９】
絶縁物９２の前端部およびＦ天井板フランジ部８９の前辺部には、図１０の  （ａ）に示すように、ソフトテープ製のシール材９３が貼付されており、シール材９３は、図１０の（ｂ）に示すように、絶縁物９２とＦ天井板フランジ部８９との合せ部分を水密に覆い、図７の（ｃ）に示すように、Ｓ底板８０の前枠８２に圧接している。
【００５０】
Ｓ底板フランジ部８４およびＦ天井板フランジ部８９には、図１１の（ａ）に示すように、ソフトテープ製のシール材９４が貼付されており、シール材９４は、図１１の（ｂ）および（ｃ）に示すように、Ｓ底板フランジ部８４と絶縁物９２との合せ部分，Ｆ天井板フランジ部８９と絶縁物９２との合せ部分を水密に覆っている。
【００５１】
Ｓ底板８０の前枠８２内には、図１１の（ａ）に示すように、断面Ｌ字状をなす鋼板製のＦ補強板９５が収納されており、Ｆ補強板９５の左右両端部には径小な貫通孔９６が形成され、両貫通孔９６間には径大な３個の貫通孔９７が形成されている。
【００５２】
前枠８２内には、Ｆ補強板９５の前方から発泡スチロール製の絶縁物９８が収納されている。この絶縁物９８の左右両端部には半円形状の切欠部９９が形成され、両切欠部９９間には３個の貫通孔１００が形成されており、前枠８２の各ボス部８３は、Ｆ補強板９５の径大な貫通孔９７内を通して絶縁物９８の貫通孔１００内に挿入されている。
【００５３】
Ｓ底板８０には、図１０の（ａ）に示すように、Ｆ天井板８７側の内面に位置して線状のＳ底面ヒータ１０１が装着されている。また、Ｓ底板フランジ部８４の後辺部には、隅部に位置して貫通孔１０２が形成されており、Ｓ底板８０およびＦ天井板８７間には貫通孔１０２内を通して束線１０３が挿入されている。この束線１０３は複数本のリード線（このうち２本はＳ底面ヒータ１０１の電源線である）を束ねたものであり、束線１０３には、Ｓ底板８０およびＦ天井板８７間の外部に位置してコネクタ１０４が電気的に接続されている。
【００５４】
Ｓ底板８０の前枠８２には、左右方向中央部に位置して束線挿入部１０５が一体形成されている。この束線挿入部１０５は前後両面が開口する角筒状をなすものであり、束線１０３の前端部は、Ｓ底板８０およびＦ天井板８７間から束線挿入部１０５内を通して前枠８２内に引出され、束線１０３の前方の引出端部にはコネクタ（図示せず）が電気的に接続されている。
【００５５】
＜縦仕切組立５９および横仕切組立６０間の連結について＞
縦仕切カバー６２のフランジ部７０およびＩ仕切カバー７２のフランジ部７３には、図９の（ｂ）に示すように、下辺部に位置して略Ｌ字状をなす複数の爪部１０６が１列に一体形成されている。
【００５６】
Ｓ底板８０の左端部には、図１１の（ａ）に示すように、複数の係合孔１０７が左右２列に形成されている。このうち左列の各係合孔１０７内には、図７の  （ｂ）に示すように、Ｉ仕切カバー７２の爪部１０６が係合され、右列の各係合孔１０７内には縦仕切カバー６２の爪部１０６が係合されており、縦仕切組立５９および横仕切組立６０間は、爪部１０６と係合孔１０７との係合力によって連結され、縦仕切組立５９のシール材７９は縦仕切組立５９と横仕切組立５７のＳ底板８０との間で挟持されている。
【００５７】
Ｓ底板８０の左端部には、図１１の（ａ）に示すように、係合孔１０７の左右両側に位置して突部１０８が一体形成されている。このうち右方の突部１０８は、図７の（ｂ）に示すように、縦仕切カバー６２の下端部に面接触し、左方の突部１０８はＩ仕切カバー７２の下端部に面接触しており、両突部１０８は、縦仕切組立５９を横仕切組立６０に対して垂直状態に保持している。
【００５８】
＜仕切板組立６１について＞
図１２の（ａ）の仕切板１０９は合成樹脂を射出成形してなるものであり、仕切板１０９の外周部にはリブ１１０が一体形成されている。このリブ１１０は仕切板１０９のうち左端部，右端部，上端部を除いた部分に位置するものであり、図１２の（ｂ）に示すように、断面形状が二股状をなしている。
【００５９】
仕切板１０９の横辺部には、図１２の（ａ）に示すように、左右両端部に位置して円筒状のボス部１１１が一体形成され、両ボス部１１１間に位置して３個の貫通孔１１２が形成されている。また、仕切板１０９の縦辺部には、上端部に位置して円筒状のボス部１１１が一体形成され、ボス部１１１の下方に位置して貫通孔１１２が形成されている。
【００６０】
仕切板１０９の縦辺部には短尺なシール板（クッション板）１１３が収納され、横辺部には長尺なシール板（クッション板）１１４が収納されている。これらシール板１１３および１１４は合成樹脂から形成されたものであり、短尺なシール板１１３には円形状の１個の貫通孔１１５が形成され、長尺なシール板１１４には３個の貫通孔１１５が形成されている。
【００６１】
仕切板１０９の縦辺部には、短尺なシール板１１３の前方から短尺なヒータ板１１６が収納され、仕切板１０９の横辺部には、長尺なシール板１１４の前方から長尺なヒータ板１１７が収納されており、短尺なヒータ板１１６には円形状の１個の貫通孔１１８が形成され、長尺なヒータ板１１７には３個の貫通孔１１８が形成されている。これらヒータ板１１６および１１７は鋼板から形成されたものであり、ヒータ板１１６および１１７の前面には線状のヒータ１１９が装着され、ヒータ１１９にはコネクタ１２０が電気的に接続されている。
【００６２】
仕切板１０９の横辺部には開口部１２１が形成され、長尺なシール板１１４には切欠部１２２が形成されている。この切欠部１２２は上面が開口するものであり、コネクタ１２０はシール板１１４の切欠部１２２内から仕切板１０９の開口部１２１を通して後方に引出されている。
【００６３】
仕切板１０９の縦辺部のリブ１１０には、短尺な鋼板製の補強板１２３が嵌合され、仕切板１０９の横辺部のリブ１１０には、長尺な鋼板製の補強板１２４が嵌合されている。これら補強板１２３および１２４は、図１２の（ｂ）に長尺な補強板１２４を代表して示すように、断面略コ字状をなすものであり、ヒータ板１１６および１１７を前方から覆っている。
【００６４】
短尺な補強板１２３には、図１２の（ａ）に示すように、左右側辺部に位置して略コ字状をなす複数の嵌合部１２５が形成され、長尺な補強板１２４には、上下辺部に位置して複数の嵌合部１２５が形成されている。
【００６５】
仕切板１０９のリブ１１０内には複数の爪部（図示せず）が一体形成されており、短尺な補強板１２３の各嵌合部１２５はリブ１１０の爪部に嵌合され、補強板１２３，ヒータ板１１６，シール板１１３を仕切板１０９の縦辺部に仮止めしている。また、長尺な補強板１２４の各嵌合部１２５はリブ１１０の爪部に嵌合され、補強板１２４，ヒータ板１１７，シール板１１４を仕切板１０９の横辺部に仮止めしている。
【００６６】
＜仕切板組立６１の装着について＞
長尺な補強板１２４には、左右両端部に位置して径大な貫通孔１２６が形成され、両貫通孔１２６間に位置して径小な３個の貫通孔１２７が形成されている。また、短尺な補強板１２３には上端部に位置して径大な貫通孔１２６が形成され、貫通孔１２６の下方に位置して径小な貫通孔１２７が形成されている。
【００６７】
縦仕切組立５９（図８参照）の前枠６３のボス部６４内には、前方から短尺な補強板１２３の貫通孔１２７，ヒータ板１１６の貫通孔１１８，シール板１１３の貫通孔１１５，仕切板１０９の縦辺部の貫通孔１１２，絶縁物６５（図８参照）の貫通孔６６を通してねじ１２８（図６参照）が締込まれている。
【００６８】
横仕切組立６０（図１１のａ参照）の前枠８２の各ボス部８３内には、前方から長尺な補強板１２４の貫通孔１２７，ヒータ板１１７の貫通孔１１８，シール板１１４の貫通孔１１５，仕切板１０９の横辺部の貫通孔１１２，絶縁物９８  （図１１のａ参照）の貫通孔１００，Ｆ補強板９５（図１１のａ参照）の貫通孔９７を通してねじ１２８（図６参照）が締込まれており、仕切板組立６１はねじ１２８の締結力によって縦仕切組立５９および横仕切組立６０の双方に固定されている。
【００６９】
この状態では、仕切板組立６１（図１２参照）の仕切板１０９の各ボス部１１１が横仕切組立６０の絶縁物９８の切欠部９９（図１１のａ参照）内に挿入され、図７の（ｅ）に示すように、Ｆ補強板９５の貫通孔９６の周縁部に接触している。また、前枠８２には、Ｆ補強板９５の各貫通孔９６に対向して貫通孔１２９が形成されており、各ボス部１１１の内部は貫通孔１２９に対向している。
【００７０】
＜Ｉ＆Ｓ仕切壁５８の装着について＞
内箱１３の左側板および右側板には、図７の（ａ）に示すように、前端部に位置して凹部１３０が形成されており、横仕切組立６０の前枠８２は、左端部および右端部が凹部１３０内に前方から嵌合されている。これら各凹部１３０の後面には貫通孔１３１が形成されており、外箱１２および内箱１３間の断熱材１４内には、図７の（ｄ）に示すように、各貫通孔１３１の後方に位置してレール補強板１３２が埋設されている。
【００７１】
各レール補強板１３２には、仕切板組立６１の補強板１２４（図１２のａ参照）の貫通孔１２６から仕切板１０９のボス部１１１，Ｆ補強板９５の貫通孔９６，横仕切組立６０の前枠８２の貫通孔１２９を通してねじ１３３が締込まれており、Ｉ＆Ｓ仕切壁５８はねじ１３３によって内箱１３に固定されている。また、前枠８２には、図１１の（ａ）に示すように、左側板および右側板に位置してソフトテープ製のシール材１３４が貼付されており、各シール材１３４は、図７の（ｅ）に示すように、前枠８２と凹部１３０の内面との間で挟持されている。
【００７２】
内箱１３の右側板には、図７の（ｆ）に示すように、凹部１３４が形成されている。この凹部１３４は、上述した凹部１３０の後方に形成されたものであり、後方の凹部１３４内には横仕切組立６０の右辺部が嵌合され、横仕切組立６０の右辺部のシール材９３および後辺部のシール材９３は内箱１３と横仕切組立６０との間で挟持されている。
【００７３】
縦仕切組立５９の縦仕切カバー６２およびＩ仕切カバー７２には、図８に示すように、前後方向へ延びる板状のリブ１３５および１３６が一体形成されている。これらリブ１３５および１３６は、図７の（ｇ）に示すように、傾斜板状をなすものであり、リブ１３５および１３６間には台形空間状の嵌合部１３７が形成され、シール材７９の上辺部は嵌合部１３７内に位置している。
【００７４】
Ｖ仕切ケース３１には前後方向へ延びる断面台形状のビード１３８が一体形成されている。このビード１３８は縦仕切組立５９の嵌合部１３７内に嵌合されており、シール材７９の上辺部はビード１３８と縦仕切組立５９との間で挟持されている。
【００７５】
縦仕切組立５９の前枠６３には、図９の（ａ）に示すように、後板に位置して筒部１３９が一体形成されている。この筒部１３９は、前枠６３の後板から前方へ突出するものであり、図９の（ｃ）に示すように、後面が開口し且つ前面が閉塞された横長な楕円形状をなしている。この筒部１３９内には、図１に示すように、後方からＶ仕切カバー３３のボス部５６が嵌合されており、ボス部５６の外周面は筒部１３９の内周面に略接触している。
【００７６】
筒部１３９の前板部には円形状の貫通孔１４０が形成されている。この貫通孔１４０内には前方からねじ１４１が挿入されており、ねじ１４１はＶ仕切カバー３３のボス部５６内に締込まれている。また、縦仕切組立５９の前枠６３には、図９の（ａ）に示すように、上面に位置してソフトテープ製のシール材１４２が貼付されており、シール材１４２は、図１に示すように、縦仕切組立５９とＶ仕切カバー３３との間で挟持されている。
【００７７】
冷蔵庫本体１１内には、図６に示すように、野菜室２０の下方に位置して製氷室１４３およびセレクト室１４４が左右方向に並べて形成され、製氷室１４３およびセレクト室１４４の下方に位置して冷凍室１４５が形成されている。このうちセレクト室１４４はＶ仕切壁１９と縦仕切組立５９と横仕切組立６０とによって囲まれた部分を称するものであり、上方の野菜室２０，側方の製氷室１４４，下方の冷凍室１４５に対して熱的に隔絶されている。
【００７８】
製氷室１４３はＶ仕切壁１９と縦仕切組立５９とで囲まれた部分を称するものであり、製氷室１４３および冷凍室１４５間は、Ｉ＆Ｓ仕切壁５８の前枠８２の後部に形成された切欠部８２ａ（図１０参照）を介して連通している。尚、製氷室１４３，セレクト室１４４，冷凍室１４５は第１の貯蔵室，第２の貯蔵室，第３の貯蔵室に相当するものである。
【００７９】
縦仕切組立５９の縦仕切カバー６２には、図８に示すように、上下方向に対向する一対の扉レール２１が一体形成されている。これら扉レール２１は、図３の扉レール２１と同様、薄肉部２６およびストッパ２８を有するものであり、両扉レール２１間には図３のスライドレール２２が挿入され、このスライドレール２２の後端部には、図３のスライドレール２２と同様、下端部に位置してリヤローラ２３が装着されている。尚、縦仕切カバー６２の両扉レール２１はセレクト室１４４内に位置するものである。
【００８０】
内箱１３の右側板には、図６に示すように、セレクト室１４４内に位置して上下方向に対向する一対の扉レール２１が一体形成されている。これら扉レール２１は図３の扉レール２１と同様の薄肉部２６およびストッパ２８を有するものであり、両扉レール２１間には図３のスライドレール２２が挿入され、このスライドレール２２の後端部には、図３のスライドレール２２と同様、下端部に位置してリヤローラ２３が装着されている。
【００８１】
横仕切組立６０の前枠８２には、図１１の（ａ）に示すように、Ｓ底板８０の左右端部に位置して一対のローラ支持台１４６が一体形成されている。これら各組のローラ支持台１４６にはフロントローラ１４７の軸１４８が支持されており、各フロントローラ１４７上には、図６に示すように、セレクト室１４４内のスライドレール２２が載置されている。
【００８２】
セレクト室１４４内の両スライドレール２２の前端部には、図２の（ａ）に示すように、第２の扉１４９が固定されており、扉１４９を前後方向へ操作すると、両スライドレール２２が扉レール２１に沿ってスライドすることに基づいて扉１４９の引出し操作および押込み操作が許容され、セレクト室１４４の前面開口部が扉１４９によって開閉される。
【００８３】
縦仕切組立５９のＩ仕切カバー７２には、図９の（ａ）に示すように、上下方向に対向する一対の扉レール２１が一体形成されている。これら扉レール２１は、図３の扉レール２１と同様、薄肉部２６およびストッパ２８を有するものであり、両扉レール２１間には図３のスライドレール２２が挿入され、このスライドレール２２の後端部には、図３のスライドレール２２と同様、下端部に位置してリヤローラ２３が装着されている。
【００８４】
内箱１３の左側板には、図６に示すように、製氷室１４３内に位置して上下方向に対向する一対の扉レール２１が一体形成されている。これら扉レール２１は図３の扉レール２１と同様、薄肉部２６およびストッパ２８を有するものであり、両扉レール２１間には図３のスライドレール２２が挿入され、このスライドレール２２の後端部には、図３のスライドレール２２と同様、下端部に位置してリヤローラ２３が装着されている。
【００８５】
横仕切組立６０の前枠８２には、図１１の（ａ）に示すように、左側部に位置して一対のローラ支持台１４６が２組一体形成されている。これら各組のローラ支持台１４６上にはフロントローラ１４７の軸１４８が支持されており、各フロントローラ１４７上には、図６に示すように、製氷室１４３内のスライドレール２２が載置されている。
【００８６】
製氷室１４３内の両スライドレール２２には、図２の（ｂ）に示すように、前端部に位置して第１の扉１５０が固定されており、扉１５０を前後方向へ操作すると、両スライドレール２２が扉レール２１に沿ってスライドすることに基づいて扉１５０の引出し操作および押込み操作が許容され、製氷室１４３の前面開口部が扉１５０によって開閉される。尚、冷凍室１４５には、野菜室２０と同一構成によって扉１５１が装着されており、冷凍室１４５の前面開口部は扉１５１の引出し操作および押込み操作に基づいて開閉される。
【００８７】
冷蔵庫本体１１の底部には、後方に位置して機械室１５２が形成されており、機械室１５２内には冷凍サイクルのコンプレッサ１５３が配設されている。また、冷蔵庫本体１１内には、製氷室１４３，セレクト室１４４，冷凍室１４５の３室の後方に位置してＦ冷気生成室１５４が形成されている。このＦ冷気生成室１５４内には冷凍サイクルのＦエバポレータ１５５が配設されており、コンプレッサ１５３が作動すると、コンプレッサ１５３からＦエバポレータ１５５に冷媒が与えられる。
【００８８】
Ｆ冷気生成室１５４内にはＦファンモータ１５６が配設されている。このＦファンモータ１５６の回転軸にはＦファン１５７が固定されており、Ｆファンモータ１５６が作動すると、Ｆファン１５７が回転してＦエバポレータ１５５に風が吹付けられ、冷気が生成される。そして、冷気の一部がＦ冷気生成室１５４内から冷凍室１４５内を通して製氷室１４３内に送られ、冷気の残りがセレクト室１４４内に送られる。
【００８９】
Ｆ冷気生成室１５４内からセレクト室１４４内へ至る冷気通路にはダンパ装置（図示せず）が配設されている。また、扉１８の前面には、図２の（ａ）に示すように、操作パネル１５８が装着されている。この操作パネル１５８にはセレクトキー１５９が装着されており、セレクトキー１５９を操作すると、ダンパ装置が作動し、セレクトキー１５９の操作内容に応じて冷気通路の開口量が調節される。すると、Ｆ冷気生成室１５４内からセレクト室１４４内への冷気供給量が調節され、セレクト室１４４がセレクトキー１５９の操作内容に応じてチルド室，冷蔵室，冷凍室等として機能する。
【００９０】
冷蔵庫本体１１内には、図２の（ｂ）に示すように、野菜室２０の後方に位置してＲ冷気生成室１６０が形成されている。このＲ冷気生成室１６０内にはＲエバポレータ１６１が配設されており、コンプレッサ１５３が作動すると、コンプレッサ１５３からＲエバポレータ１６１に冷媒が与えられる。
【００９１】
Ｆ冷気生成室１６０内にはＲファンモータ１６２が配設されている。このＲファンモータ１６２の回転軸にはＲファン１６３が連結されており、Ｒファンモータ１６２が作動すると、Ｒファン１６３が回転してＲエバポレータ１６１に風が吹付けられ、冷気が生成される。そして、冷気の一部がＲ冷気生成室１６０内から野菜室２０内に送られ、冷気の残りが冷気ダクト１７内を上昇し、冷気ダクト１７の冷気吹出口から冷蔵室１６内に送られる。
【００９２】
上記実施例によれば、Ｉ＆Ｓ仕切壁５８の縦仕切組立５９の前端部をＶ仕切壁１９に係合した。このため、Ｉ＆Ｓ仕切壁５８の横仕切組立６０に扉１４９および１５０の荷重が作用しても、扉の荷重で仕切壁が傾斜する課題を解決することができる。
【００９３】
特に、製氷室１４３およびセレクト室１４４をスライド式の扉１５０および扉１４９によって開閉する場合には、扉１５０の前方への引出し時および扉１４９の前方への引出し時にスライドレール２２からフロントローラ１４７を通してＩ＆Ｓ仕切壁５８に大きな荷重が作用する。しかしながら、Ｉ＆Ｓ仕切壁５８の前端部をＶ仕切壁１９に係合したので、扉の荷重で仕切壁が傾斜する課題を解決することができる。
【００９４】
また、Ｉ＆Ｓ仕切壁５８の横仕切組立６０に切欠部８２ａを設け、製氷室１４３および冷凍室１４５間を切欠部８２ａを介して連通させた。このため、横仕切組立６０の外周部を冷蔵庫本体１１に組付けるにあたって、冷蔵庫本体１１による横仕切組立６０の支持量が少なくなり、Ｉ＆Ｓ仕切壁５８が扉１４９および１５０の荷重で変位し易くなる。しかしながら、Ｉ＆Ｓ仕切壁５８の前端部をＶ仕切壁１９に係合したので、扉の荷重で仕切壁が傾斜する課題を解決することができる。
【００９５】
また、Ｖ仕切壁１９の前端部にボス部５６を設け、ボス部５６をＩ＆Ｓ仕切壁５８の縦仕切組立５９に係合させた上でボス部５６内にねじ１４１を螺合した。このため、縦仕切組立５９とＶ仕切壁１９との係合部分がねじ１４１によって締結され、縦仕切組立５９とＶ仕切壁１９との連結強度が高まる。
【００９６】
また、Ｖ仕切壁１９の仕切板５１をボス部５６の上方でＶ仕切カバー３３にねじ止めした。このため、Ｖ仕切カバー３３のうち扉１４９および１５０の荷重を受け易い部分が仕切板５１に固定されるので、Ｖ仕切カバー３３が仕切板５１に対して変位することが防止される。
【００９７】
また、Ｖ仕切カバー３３内に防露パイプ５３を収納し、仕切板５１をＶ仕切カバー３３にねじ止めしたので、防露パイプ５３がねじ５２の締結力で仕切板５１に密着する。このため、防露パイプ５３から仕切板５１を通してＶ仕切カバー３３に熱が効率的に伝達されるので、仕切板５１およびＶ仕切カバー３３に結露が生じ難くなる。尚、防露パイプ５３は冷凍サイクルの一部を構成するものであり、防露パイプ５３内にはコンプレッサ１５３から吐出された冷媒が循環する。
【００９８】
また、仕切板５１をＶ仕切カバー３３のリブ５０に嵌合したので、仕切板５１をＶ仕切カバー３３に仮止めした状態でねじ止めできる。このため、仕切板５１を手で支えながらねじ止めする必要がなくなるので、仕切板５１のＶ仕切カバー３３に対する組付作業性が向上する。
【００９９】
また、仕切板５１をＶ仕切壁１９および縦仕切組立５９間の係合部分の上方でリブ５０に嵌合した。このため、Ｖ仕切カバー３３のうち扉１４９および１５０の荷重を受け易い部分が仕切板５１に連結されるので、Ｖ仕切カバー３３が仕切板５１に対して変位することが防止される。
【０１００】
また、Ｖ仕切カバー３３に爪部４１を設けた。このため、絶縁物４５をＶ仕切カバー３３内に押込むだけで、爪部４１が絶縁物４５に係合し、絶縁物４５がＶ仕切カバー３３内に抜止め状態で収納されるので、絶縁物４５の組付作業性が向上する。
【０１０１】
また、可撓片４０の前端部を爪部４１から前方に突出させた（図５のｄ参照）。このため、可撓片４０の前端部を押圧すると、可撓片４０が弾性変形し、爪部４１と絶縁物４５との間の係合が解除されるので、Ｖ仕切カバー３３内に絶縁物４５を向きを誤って挿入した場合でもＶ仕切カバー３３内から容易に取外し、再収納できる。これと共に、絶縁物４５をＶ仕切カバー３３内に押込む際に絶縁物４５が爪部４１に引掛かり難くなるので、絶縁物４５の欠損等が防止される。
【０１０２】
また、防露パイプ５３の上辺部および下辺部間に可撓片４０を挿入した。このため、防露パイプ５３の上辺部および下辺部が位置規制されるので、例えば仕切板５１を通して外箱１２にねじ５２を締込む際にねじ５２が防露パイプ５３に当り、防露パイプ５３が傷付くことが防止される。
【０１０３】
また、可撓片４０の基端部に取付軸３５を設けた。このため、Ｖ仕切カバー３３を内箱１３内に押込むだけで可撓片４０が弾性変形し、取付軸３５が内箱１３の取付孔３８内に挿入されるので、Ｖ仕切カバー３３の内箱１３に対する組付作業性が向上する。
【０１０４】
次に本発明の第２実施例を図１３に基づいて説明する。Ｖ仕切カバー３３のフランジ部５５には、後端部に位置してカバー１６４が固定されており、Ｖ仕切カバー３３には、ボスベース５４とフランジ部５５とボス部５６とカバー１６４とによって断熱材ケース１６５が形成されている。この断熱材ケース１６５は断熱材充填部に相当するものであり、カバー１６４の外周面にはソフトテープ製のシール材１６６が貼付されている。
【０１０５】
Ｖ仕切ケース３１の薄肉部３２には開口部１６７が形成されている。この開口部１６７は、Ｖ仕切ケース３１の内部と断熱材ケース１６５の内部とを繋ぐものであり、断熱材ケース１６５の内部には断熱材１４が充填されている。尚、断熱材ケース１６５内の断熱材１４は、Ｖ仕切ケース３１にＶ仕切カバー３３を組付けた後に外箱１２および内箱１３間に発泡ウレタンを注入することに基づいて充填されたものである。
【０１０６】
上記実施例によれば、断熱材ケース１６５内に断熱材１４を充填した。このため、断熱材ケース１６５の剛性が高まり、断熱材ケース１６５が扉１４９および１５０の荷重で変位し難くなる。
【０１０７】
尚、上記第１および第２実施例においては、縦仕切組立５９の筒部１３９からＶ仕切カバー３３のボス部５６内にねじ１４１を締込んだが、これに限定されるものではなく、例えばねじ１４１を廃止し、縦仕切組立５９の筒部１３９内にＶ仕切カバー３３のボス部５６を嵌合するだけでも良い。
【０１０８】
また、上記第１および第２実施例においては、Ｖ仕切カバー３３のボス部５６を縦仕切組立５９の筒部１３９内に嵌合することに基づいてＶ仕切カバー３３と縦仕切組立５９との間を係合したが、これに限定されるものではなく、Ｖ仕切カバー３３あるいは縦仕切組立５９に爪部を設け、爪部を相手側に引掛ける構成としても良い。
【０１０９】
また、上記第１および第２実施例においては、Ｖ仕切カバー３３にボス部５６を設け、縦仕切組立５９に筒部１３９を設けたが、これに限定されるものではなく、例えば縦仕切組立５９にボス部５６を設け、Ｖ仕切カバー３３に筒部１３９を設け、縦仕切組立５９のボス部５６をＶ仕切カバー３３の筒部１３９内に嵌合しても良い。
【０１１０】
また、上記第１および第２実施例においては、製氷室１４３およびセレクト室１４４の前面開口部を引出式の扉１４９および１５０によって開閉したが、これに限定されるものではなく、例えば冷蔵室１６の扉１８のような回動式のものによって開閉しても良い。
【０１１１】
また、上記第１および第２実施例においては、野菜室２０の下方に製氷室１４３およびセレクト室１４４が左右方向に並べて形成された構成の冷蔵庫に本発明を適用したが、これに限定されるものではなく、例えば、冷蔵室の下方に製氷室および野菜室が左右方向に並べて形成された構成の冷蔵庫に適用しても良い。
【図面の簡単な説明】
【０１１２】
【図１】本発明の第１実施例を示す図（Ｖ仕切壁と縦仕切組立との係合状態を示す縦断面図）
【図２】（ａ）は冷蔵庫の全体構成を示す正面図、（ｂ）はＸ−Ｘ線に沿う断面図
【図３】野菜室の扉の装着状態を示す縦断面図
【図４】（ａ）はＶ仕切カバーを示す前面図、（ｂ）はＸ1 −Ｘ1 線に沿う断面図、（ｃ）はＸ2 −Ｘ2 線に沿う断面図
【図５】（ａ）はＶ仕切組立を示す分解斜視図、（ｂ）はＶ仕切組立の端部を組立状態で示す矢印Ｘ1 視図、（ｃ）はＶ仕切組立の端部を組立状態で示す矢印Ｘ2 視図、（ｄ）はＸ3 部を拡大して示す図
【図６】Ｖ仕切壁およびＩ＆Ｓ仕切壁が冷蔵庫本体に装着された状態を示す前面図
【図７】（ａ）はＩ＆Ｓ仕切壁を示す斜視図、（ｂ）はＸ1 線に沿う断面図、（ｃ）はＸ2 −Ｘ2 線に沿う断面図、（ｄ）はＸ3 −Ｘ3 線に沿う断面図、（ｅ）はＸ4 部を拡大して示す図、（ｆ）はＸ5 −Ｘ5 線に沿う断面図、（ｇ）はＸ6 −Ｘ6 線に沿う断面図
【図８】縦仕切組立を示す分解斜視図
【図９】（ａ）は縦仕切組立を後方から示す斜視図、（ｂ）は縦仕切組立を下方から示す斜視図、（ｃ）はＸ−Ｘ線に沿う断面図
【図１０】（ａ）横仕切組立を示す分解斜視図、（ｂ）はＦ天井板および絶縁物の合せ部分を示す矢印Ｘ視図
【図１１】（ａ）は横仕切組立を示す別の分解斜視図、（ｂ）は矢印Ｘ1 視図、（ｃ）は矢印Ｘ2 視図
【図１２】（ａ）は仕切板組立を示す分解斜視図、（ｂ）は仕切板組立を組立状態で示すＸ−Ｘ線に沿う断面図
【図１３】本発明の第２実施例を示す図１相当図
【図１４】従来例を示す図
【符号の説明】
【０１１３】
１１は冷蔵庫本体、１９はＶ仕切壁（第１の仕切部材）、２１は扉レール、２２はスライドレール、３３はＶ仕切カバー（前枠）、５１は仕切板（前板）、５３は防露パイプ、５４はボスベース、５６はボス部、５８はＩ＆Ｓ仕切壁（第２の仕切部材）、５９は縦仕切組立（縦板部）、６０は横仕切組立（横板部）、８２ａは切欠部、１３９は筒部、１４１はねじ、１４３は製氷室（第１の貯蔵室）、１４４はセレクト室（第２の貯蔵室）、１４５は冷凍室（第３の貯蔵室）、１４７はフロントローラ（ローラ）、１４９は第２の扉、１５０は第１の扉、１６５は断熱材ケース（断熱材充填部）を示している。
【図１】
2006038454.tif 000003
【図２】
2006038454.tif 000004
【図３】
2006038454.tif 000005
【図４】
2006038454.tif 000006
【図５】
2006038454.tif 000007
【図６】
2006038454.tif 000008
【図７】
2006038454.tif 000009
【図８】
2006038454.tif 000010
【図９】
2006038454.tif 000011
【図１０】
2006038454.tif 000012
【図１１】
2006038454.tif 000013
【図１２】
2006038454.tif 000014
【図１３】
2006038454.tif 000015
【図１４】
2006038454.tif 000016